(57)【要約】      （修正有）【課題】根掛かりを確実に防ぎつつ、高い魚集効果を発揮する魚型ルアーを提供する。【解決手段】魚型ルアー１は、魚型の本体部２と、本体部の下部に設けられた左右一対の突起部３Ｌと、本体部の頭部に形成されたワーム保持部４と、本体部の頭部に設けられた錘とを備えている。左右一対の突起部３Ｌは、それぞれが斜め後ろ下に向かって延びている。【選択図】図３
0003214870.tif 000002
【実用新案登録請求の範囲】
【請求項１】
魚型の本体部と、
前記本体部の下部に設けられた左右一対の突起部と、
前記本体部の頭部に形成されたワーム保持部と、
前記本体部の頭部に設けられた錘と、
を備え、
前記左右一対の突起部は、それぞれが斜め後ろ下に向かって延びている
ことを特徴とする魚型ルアー。
【請求項２】
前記ワーム保持部は、前記本体部の頭部を左右方向に貫通した貫通孔と、前記本体部の頭部先端から前記貫通孔に達する切れ込みとからなり、
前記切れ込みの幅が前記貫通孔の直径よりも小さい
ことを特徴とする請求項１に記載の魚型ルアー。
【考案の詳細な説明】
【技術分野】
【０００１】
本考案は、プラグとも呼ばれる魚型ルアーに関する。
【背景技術】
【０００２】
魚釣りでは、目的とする魚の習性に応じて様々なルアーが使用される。例えば、ブラックバス等の強い魚食性を有する魚を目的とする場合は、プラグとも呼ばれる魚型ルアーが使用されることが多い。
【０００３】
従来の魚型ルアーとしては、特許文献１に記載された、リップを交換可能としたものが知られている。この魚型ルアーによれば、大型のリップを取り付けることにとり、水底の泥や砂をかきあげ、魚集効果を高めることができるとのことである。
【先行技術文献】
【特許文献】
【０００４】
【特許文献１】実開平４−７１４５９号公報
【考案の概要】
【考案が解決しようとする課題】
【０００５】
しかしながら、上記従来の魚型ルアーは、大型のリップが水中の障害物に引っ掛かって外れなくなるいわゆる“根掛かり”が生じやすいという問題があった。リップを弾性素材で形成すれば根掛かりを解消することができる確率が増すとのことであるが（特許文献１の明細書第６頁第４−１２行目参照）、根本的な解決にはならない。
【０００６】
本考案は上記事情に鑑みてなされたものであって、その課題とするところは、根掛かりを確実に防ぎつつ、高い魚集効果を発揮する魚型ルアーを提供することにある。
【課題を解決するための手段】
【０００７】
上記課題を解決するために、本考案に係る魚型ルアーは、魚型の本体部と、本体部の下部に設けられた左右一対の突起部と、本体部の頭部に形成されたワーム保持部と、本体部の頭部に設けられた錘とを備え、上記左右一対の突起部は、それぞれが斜め後ろ下に向かって延びている、との構成を有する。
【０００８】
上記魚型ルアーのワーム保持部の具体的構成の一例としては、本体部の頭部を左右方向に貫通した貫通孔と、本体部の頭部先端から貫通孔に達する切れ込みとからなり、切れ込みの幅が貫通孔の直径よりも小さい、との構成があるが、これには限定されない。
【考案の効果】
【０００９】
本考案によれば、根掛かりを確実に防ぎつつ、高い魚集効果を発揮する魚型ルアーを提供することができる。
【図面の簡単な説明】
【００１０】
【図１】本考案に係る魚型ルアーの正面図（Ａ）、および側面図（Ｂ）である。
【図２】本考案に係る魚型ルアーの、ワームを保持した状態の正面図である。
【図３】本考案に係る魚型ルアーによる魚集効果を説明するための図である。
【考案を実施するための形態】
【００１１】
以下、添付図面を参照しながら、本考案に係る魚型ルアーの実施例について説明する。
【００１２】
図１に実施例に係る魚型ルアー１を示す。同図に示すように、魚型ルアー１は、魚型の本体部２と、本体部２の下部に設けられた左右一対の突起部３Ｒ，３Ｌと、本体部２の頭部に形成されたワーム保持部４と、本体部２の頭部に埋め込まれた錘７と、本体部２の頭部に設けられたライン取付用フック８とを備えている。
【００１３】
突起部３Ｌは、斜め後ろ下に向かって真っ直ぐに延びた棒状の部材である。本実施例では、突起部３Ｌは、垂直方向に対して後方に約１５°傾斜している。ただし、本実施例に係る魚型ルアー１は、本体部２の頭部に錘７が埋め込まれているため、水中で前傾姿勢をとる（図３参照）。このため、垂直方向に対する突起部３Ｌの角度は、水中では約４０°となる。この角度は、錘７の重さによって調整することができる。
【００１４】
突起部３Ｌは、垂直方向に対して左方にも約２０°傾斜している。
【００１５】
突起部３Ｒは、突起部３Ｌに対して左右対称な形態を有している。すなわち、突起部３Ｒは、垂直方向に対して後方に約１５°傾斜し、かつ右方に約２０°傾斜している。
【００１６】
ワーム保持部４は、本体部２の頭部を左右方向に貫通した貫通孔６と、本体部２の頭部先端から貫通孔６に達する切れ込み５とからなる。切れ込み５の幅は、貫通孔６の直径よりも小さい。本実施例では、切れ込み５の幅が４ｍｍ、貫通孔６の直径が６ｍｍに設定されている。
【００１７】
ワーム保持部４は、６ｍｍよりもやや大きな直径を有するワームＷを保持することができる。ユーザーは、切れ込み５にワームＷを押し込むことにより、貫通孔６にワームＷを保持させることができる。図２に、ワームＷを保持した状態の魚型ルアー１を示す。
【００１８】
図３に示すように、本実施例に係る魚型ルアー１は、本体部２の頭部に錘７が埋め込まれているため、前傾姿勢をとったまま沈降する。そして、突起部３Ｌ，３Ｒの先端が水底Ｂにあたったときにユーザーがフック８に取り付けたラインＬを引くと、突起部３Ｌ，３Ｒの先端によって水底Ｂの砂等Ｄがかきあげられる。このとき、突起部３Ｌ，３Ｒは後方に約４０°傾斜しているので、突起部３Ｌ，３Ｒが根掛かりする可能性は非常に低い。
【００１９】
本実施例に係る魚型ルアー１によれば、捕食中の魚が砂等Ｄを巻き散らしながら水底Ｂを泳いでいるかのような演出がなされる。そして、この演出により、当該魚を捕食しようとする魚を誘うことができる。
【００２０】
以上、本考案に係る魚型ルアーの実施例について説明してきたが、本考案はこれに限定されるものではない。
【００２１】
例えば、突起部は、左右対称に設けられた３本以上の棒状の部材で構成されていてもよいし、左右対称に設けられた２つ以上の棒状以外の形状の部材で構成されていてもよい。
【００２２】
また、貫通孔と切れ込みとからなるワーム保持部は、ワームをしっかりと保持することができる限りにおいて、任意に変形することができる。
【００２３】
また、錘は、本体部に水中で前傾姿勢をとらせる限りにおいて、本体部への取り付け方を適宜変更することができる。つまり、錘は、本体部に埋め込まれていなくてもよい。
【００２４】
また、本考案では、本体部への鉤の取り付け態様は特に限定されない。ただし、本体部の後方に鉤を取り付ける場合は、錘による姿勢制御の妨げにならないよう注意しなければならない。
【符号の説明】
【００２５】
１    魚型ルアー
２    本体部
３Ｒ，３Ｌ    突起部
４    ワーム保持部
５    切れ込み
６    貫通孔
７    錘
８    フック
【図１】
0003214870.tif 000003
【図２】
0003214870.tif 000004
【図３】
0003214870.tif 000005